(57)【要約】      （修正有）【課題】付け替え可能な内容器を外容器に嵌合することによってキャップの開放が可能となる付け替え容器を提供する。【解決手段】内容器本体ＤとキャップＣとからなる内容器Ａと、外容器Ｂとを備える付け替え容器であって、内容器本体Ｄは、口部１の外周側にねじ部４が設けられ、口部１の下方に突部５が設けられるとともに、胴部２には外容器Ｂの嵌合部２４と係合する係合部６が設けられ、キャップＣは、内キャップ１０を嵌合保持する外キャップ１１からなり、内キャップ１０の内周側に内容器本体Ｄのねじ部４と螺合するねじ部１５が設けられ、内キャップ１０の下端部に突部に係止する羽根部１７を有する係止部１６が設けられ、外容器Ｂは、上部が開口し、周壁２１には、内容器本体Ｄの係合部６と係合する嵌合部２４が設けられるとともに、周壁２１の上端部には、内キャップ１０の羽根部１７を押さえて変形するための押さえ部２３が設けられている。【選択図】図１
2018070235.tif 000002
【特許請求の範囲】
【請求項１】
内容器本体と内容器本体上部を覆うキャップとからなる内容器と、内容器を嵌合する外容器とを備える付け替え容器であって、
内容器本体は、口部と、胴部と、底部とからなり、口部の外周側にねじ部が設けられ、口部の下方に突部が設けられるとともに、胴部には外容器の嵌合部と係合する係合部が設けられ、
キャップは、内キャップと内キャップを嵌合保持する外キャップからなり、内キャップの内周側に内容器本体のねじ部と螺合するねじ部が設けられ、内キャップの下端部に突部に係止する羽根部を有する係止部が設けられ、
外容器は、上部が開口し、周壁と底板とを有し、周壁には、内容器本体の係合部と係合する嵌合部が設けられるとともに、周壁の上端部には、内キャップの係止部の羽根部を押さえて変形するための押さえ部が設けられ、
内容器を外容器に装着し、内容器本体の係合部と外容器の嵌合部とで嵌合させたときに、外容器の押さえ部によって、内キャップの係止部の羽根部が外方に変形されてキャップの開放が可能となることを特徴とする付け替え容器。
【請求項２】
内容器本体の係合部は、胴部の下部が縮径され、係合部の上部に係合突条と下部に縦スリット溝が設けられるとともに、外容器の嵌合部は、周壁の内方下部から底板に達する平板リブ状であり、嵌合部の上部に嵌合凹部と下部に広げられた嵌合リブ部が設けられていることを特徴とする請求項１記載の付け替え容器。
【請求項３】
押さえ部は、外容器とは別体で設けられ、内キャップの羽根部を押さえるための環状筒が立設され、下面には、外容器の周壁上端部に嵌合する嵌合筒が垂設されていることを特徴とする請求項１または２記載の付け替え容器。
【請求項４】
内容器本体には、口部の上端部に係合して適当な大きさの注出口とするための口栓部が設けられていることを特徴とする請求項１〜３項のいずれかに記載の付け替え容器。
【請求項５】
内キャップの頂部の下面に、口栓部の注出口を密封するための密封筒が設けられていることを特徴とする請求項４に記載の付け替え容器。
【発明の詳細な説明】
【技術分野】
【０００１】
本発明は、液状あるいは粒状の内容物が収納された内容器を付け替え用とし、外容器に嵌合して使用する付け替え容器に関するものである。
【背景技術】
【０００２】
化粧品などの収納容器の場合、装飾性やデザイン性に優れていることが要望されているため、内容物が収納された内容器を装飾性に優れた外容器内に嵌合し、内容物を使い終えた時に、外容器から取り外した内容器を交換することで、外容器を反復使用することが行われている。このような容器として、内容器体を収納させる有底筒体に、肩覆合部材を用いて嵌合させて使用する付け替え容器が知られている（例えば、特許文献１参照）。
【先行技術文献】
【特許文献】
【０００３】
【特許文献１】特開平８−１７５５３９号公報
【発明の概要】
【発明が解決しようとする課題】
【０００４】
しかしながら、上記特許文献１記載の付け替え容器は、内容器体と有底筒体との嵌合に肩覆合部材を用いるため、使用後の内容器体を取り外す際に肩覆合部材の嵌合を解き、肩覆合部材のリングを外してから内容器体を取り外さなければならないので、使い勝手がよくないという問題があり、使い勝手がよく、内容器を外容器に嵌合させて容易に使用することができる付け替え容器が求められている。
【０００５】
本発明は、上記問題を解決することを課題とし、内容器の交換が容易であるとともに、付け替え可能な内容器を外容器に嵌合することによってキャップの開放が可能となるようにした付け替え容器を提供することを目的とする。
【課題を解決するための手段】
【０００６】
本発明は、上記の課題を解決するため、付け替え容器として、内容器本体と内容器本体上部を覆うキャップとからなる内容器と、内容器を嵌合する外容器とを備える付け替え容器であって、内容器本体は、口部と、胴部と、底部とからなり、口部の外周側にねじ部が設けられ、口部の下方に突部が設けられるとともに、胴部には外容器の嵌合部と係合する係合部が設けられ、キャップは、内キャップと内キャップを嵌合保持する外キャップからなり、内キャップの内周側に内容器本体のねじ部と螺合するねじ部が設けられ、内キャップの下端部に突部に係止する羽根部を有する係止部が設けられ、外容器は、上部が開口し、周壁と底板とを有し、周壁には、内容器本体の係合部と係合する嵌合部が設けられるとともに、周壁の上端部には、内キャップの係止部の羽根部を押さえて変形するための押さえ部が設けられ、内容器を外容器に装着し、内容器本体の係合部と外容器の嵌合部とで嵌合させたときに、外容器の押さえ部によって、内キャップの係止部の羽根部が外方に変形されてキャップの開放が可能となることを特徴とする構成を採用する。
【０００７】
付け替え容器の実施形態として、内容器本体の係合部は、胴部の下部が縮径され、係合部の上部に係合突条と下部に縦スリット溝が設けられるとともに、外容器の嵌合部は、周壁の内方下部から底板に達する平板リブ状であり、嵌合部の上部に嵌合凹部と下部に広げられた嵌合リブ部が設けられていることを特徴とする構成を採用する。
【０００８】
付け替え容器の具体的実施形態として、押さえ部は、外容器とは別体で設けられ、内キャップの羽根部を押さえるための環状筒が立設され、下面には、外容器の周壁上端部に嵌合する嵌合筒が垂設されていることを特徴とする構成、内容器本体には、口部の上端部に係合して適当な大きさの注出口とするための口栓部が設けられていることを特徴とする構成、および、内キャップの頂部の下面に、口栓部の注出口を密封するための密封筒が設けられていることを特徴とする構成を採用する。
【発明の効果】
【０００９】
本発明の付け替え容器は、上記構成を有することによって、内容器を外容器に嵌合したときに、キャップに設けられた羽根部が変形してキャップの開放が可能となるので内容器を外容器にセットするだけで容易に使用可能な状態とすることができる。
【００１０】
付け替え容器として、内容器の係合部に縦スリット溝を設けるとともに、外容器の嵌合部に嵌合リブ部を設けて嵌合させた場合には、内容器と外容器との嵌合がしっかりとしたものとなり、キャップの開閉が容易になるとともに、外容器から内容器を取り外し、内容器の交換も容易なものとすることができる。
【図面の簡単な説明】
【００１１】
【図１】本発明の実施例の付け替え容器で、内容器と外容器とが嵌合した状態を示す半断面図である。
【図２】本発明の実施例の付け替え容器で、外容器に嵌合された内容器からキャップが外された状態を示す図であり、（ａ）はキャップの半断面図、（ｂ）はキャップの下面図、（ｃ）は嵌合状態の内容器本体と外容器の半断面図である。
【図３】本発明の実施例の付け替え容器で、内容器と外容器とを嵌合する前の状態を示す図であり、（ａ）は内容器の半断面図、（ｂ）は外容器の半断面図である。
【図４】本発明の実施例の付け替え容器の要部拡大図であり、（ａ）は図１の要部拡大図、（ｂ）は、図３（ａ）の要部拡大図である。
【発明を実施するための形態】
【００１２】
次に、本発明の付け替え容器について、実施例を示した図面を参照して説明する。
【実施例】
【００１３】
図１〜３において、Ａは内容器、Ｂは内容器を嵌合する外容器である。
内容器Ａは、キャップＣと、内容器本体Ｄと、内容器本体Ｄに装着される口栓部Ｅとからなる。
内容器本体Ｄは、開口を有する口部１と、口部１から拡径して連設される胴部２と、胴部２の下端部を閉鎖する底部３とからなり、口部１の外周側に雄ねじ部４が設けられ、口部１の下方には、外方向に突部（フランジ部）５が設けられ、胴部２の下部には、後述する外容器Ｂの嵌合部２４と係合するための係合部６が設けられている。
本実施例の係合部６は胴部２が縮径されており、係合部６の上部の中央には係合突条７が設けられるとともに、係合部６の下部には縦スリット溝８が設けられている。縦スリット溝８の数は、８本以上適宜設けられている。
【００１４】
口栓部Ｅは、上方が縮径していくロート状であり、上部には小径の注出口を有しており、下部には内容器本体Ｄの上端内周と係合する係合筒９が垂設されている。
なお、本実施例では、口栓部Ｅはロート状としたが、注出口が小径の注出筒状としたり、あるいは平板状とし、中央に小径の注出口を設けるものであってもよい。
【００１５】
図２（ａ）で示すように、キャップＣは内キャップ１０と外キャップ１１とからなり、内キャップ１０は、頂部１２と頂部１２の外縁から垂下する側周部１３とからなり、頂部１２の下面には、口栓部Ｅの注出口を密封するための密封筒１４が垂設され、側周部１３の内周側には、内容器本体Ｄの雄ねじ部４と螺合する雌ねじ部１５が設けられ、側周部１３の下端には、係止部１６が設けられている。
係止部１６の先端は折れ曲がり、羽根部１７が設けられ、羽根部１７は、広がったときに内容器本体Ｄの突部（フランジ部）５に引っかかるようになっている。
図２（ｂ）で示すように、本実施例の羽根部１７は４個設けられているが、等間隔に６個あるいは８個とすることも可能である。
外キャップ１１は頂壁１８と外縁から垂下する側壁１９とからなり、本実施例では、頂壁１８から側壁１９へ移行するところに斜面が設けられているが、斜面ではなく緩やかな円弧を描くものであってもよい。
また、外キャップ１１は、側壁１９の下端で、内キャップ１０が抜け落ちしないように、内周に突条部２０が設けられるとともに、内キャップ１０を嵌合保持している。
【００１６】
図３（ｂ）で示すように、外容器Ｂは、上部が開口し、周壁２１と底板２２とからなり、外容器Ｂの上端には、外容器Ｂに内容器Ａを装着し、嵌合したときに、内キャップ１０の羽根部１７を押さえて変形させるための押さえ部２３が設けられている。
周壁２１の下部内周側には、内容器本体Ｄの係合部６と係合するための嵌合部２４が設けられている。
本実施例の嵌合部２４は、周壁２１の内方下部から底板２２に達する平板リブ状であり、嵌合部２４の上部には、内容器Ａの係合突条７が係合するように嵌合凹部２５が設けられるとともに、嵌合部２４の下部には、内容器Ａの縦スリット溝８に係合しあうように広げられた嵌合リブ部２６となっている。嵌合リブ部２６は、縦スリット溝８と同数設けられている。
【００１７】
本実施例では、押さえ部２３の内方端部には、内キャップ１０の羽根部１７を押さえて変形させるための環状筒２７が立設され、押さえ部２３の下面には、外容器Ｂの周壁２１の上端内周に嵌合する嵌合筒２８が垂設されている。
本実施例では、押さえ部２３は、外容器Ｂとは別体になっているが、押さえ部２３を外容器Ｂと一体のものとしてもよい。
また、押さえ部２３は、本実施例では環状筒２７としているが、内キャップ１０の羽根部１７を変形させることが可能な構造であればどのような形態でもよく、環状筒２７に複数の間欠部を設けて複数の突片状としたものでもよい。
【００１８】
次に、本実施例の使用態様と作用効果について図面を参照しながら説明する。
まず、内容物が充填された内容器本体Ｄの口部１の上端内周に口栓部Ｅを係合させておくとともに、図２（ａ）で示すように、外キャップ１１内に内キャップ１０を嵌合させておく。
次に、口栓部Ｅの上に外キャップ１１に内キャップ１０を嵌合させたキャップＣを被せ、内容器本体Ｄの雄ねじ部４に、内キャップ１０の雌ねじ部１５を合わせ、キャップＣを閉方向に回転させて螺合させていくと、図３（ａ）に示す状態となる。
螺合に際し、内キャップ１０の係止部１６の羽根部１７は、変形しながら内容器本体Ｄの突部（フランジ部）５を乗り越え、羽根部１７の変形が戻って広がり、突部（フランジ部）５に引っかかるようになり、図４（ｂ）に示す状態となる。
【００１９】
次いで、外容器Ｂに内容器Ａを装着する。
まず、押さえ部２３を外容器Ｂの周壁２１上端内周に嵌合させて、図３（ｂ）で示す状態とし、外容器Ｂの押さえ部２３の開口内に内容器Ａを挿入し、内容器本体Ｄの係合部６の縦スリット溝８に外容器Ｂの平板状の嵌合部２４が入り込むように調節しながら押し下げていくと、内容器本体Ｄの係合突条７が外容器Ｂの嵌合凹部２５に係合するとともに、縦スリット溝８に嵌合リブ部２６が係合し、外容器Ｂに内容器Ａが嵌合され、図１に示す状態となる。
そのとき、外容器Ｂの押さえ部２３の環状筒２７が内キャップ１０の羽根部１７を押さえて変形させ、図４（ａ）に示す状態となる。
なお、嵌合されたときに、外キャップ１１の外装と外容器Ｂの外装とが、デザインが統一された美麗なものであることが望ましい。
【００２０】
内容物を使用するには、嵌合状態においては、内キャップ１０の羽根部１７が外容器Ｂの押さえ部２３により外方に変形されており、内容器本体Ｄの突部（フランジ部）５に引っかかることがないので、キャップＣの開放が可能となり、キャップＣを開方向に回転することによって、キャップＣが開放され、外容器Ｂを持ちあげて、内容物を振り出すなどして取り出すことができる。
使用後は、キャップＣを閉方向に回転して内容器本体Ｄに螺合させれば、図１の状態に戻る。
【００２１】
内容物がなくなり、内容器Ａを付け替えるには、キャップＣが外された状態ならば、そのまま外容器Ｂを押さえながら、内容器本体Ｄの上部を持ち上げるか、キャップＣの付いた状態であるならば、外容器Ｂを押さえて内容器Ａ全体を持ち上げれば、嵌合が容易に外れ、内容器Ａを外容器Ｂから取り出すことができる。
次いで、内容器本体Ｄに内容物が封入され、キャップＣが螺合された新たな内容器Ａを、外容器Ｂに嵌合することによって、再度使用可能となる。
【００２２】
また、本実施例では、内容器本体Ｄの係合部６として、係合突条７と縦スリット溝８とを設け、外容器Ｂの嵌合部２４として、嵌合凹部２５と嵌合リブ部２６とを設けることによって、内容器Ａと外容器Ｂの嵌合がしっかりとしたものとなり、キャップＣの開方向への回転が容易なものとなるとともに、内容器Ａと外容器Ｂとの着脱も容易なものとなる。
【００２３】
内容器Ａを付け替え容器とすることができるので、内容器Ａを安価で省資源なものとすることができるとともに、外容器Ｂに嵌合して使用することができる。
【００２４】
なお、本発明の内容器と外容器と嵌合方法については、必ずしも本実施例の係合部および嵌合部に限定されず、内容器と外容器とがしっかり嵌合できるものであれば、どのようなものであっても構わない。
また、本実施例の内容器の注出口はきわめて小さなものであるが、注出量を多くするため、あるいは内容物が粒度が大きい粒状物の場合など、注出口を適宜な大きさとすることもでき、大きな注出口とする場合には、内容器本体の口部を縮径して注出口とし、別体の口栓部を不要とすることもできる。
さらには、口栓部の替わりに、ポンプ式の吐出部とすることも可能である。
【産業上の利用可能性】
【００２５】
本発明の付け替え容器は、外容器から内容器を取り出して付け替えが容易であるとともに、内容器を外容器に嵌合することによってキャップの開放が可能となり、使い勝手がよい。
また、外キャップの外装と外容器の外装とでデザインを統一した美麗なものとすることができ、整髪料や洗顔料など化粧品用の付け替え容器として好適に利用できる。
【符号の説明】
【００２６】
Ａ              内容器
Ｂ              外容器
Ｃ              キャップ
Ｄ              内容器本体
Ｅ              口栓部
１              口部
２              胴部
３              底部
４              雄ねじ部
５              突部（フランジ部）
６              係合部
７              係合突条
８              縦スリット溝
９              係合筒
１０              内キャップ
１１              外キャップ
１２              頂部
１３              側周部
１４              密封筒
１５              雌ねじ部
１６              係止部
１７              羽根部
１８              頂壁
１９              側壁
２０              突条部
２１              周壁
２２              底板
２３              押さえ部
２４              嵌合部
２５              嵌合凹部
２６              嵌合リブ部
２７              環状筒
２８              嵌合筒
【図１】
2018070235.tif 000003
【図２】
2018070235.tif 000004
【図３】
2018070235.tif 000005
【図４】
2018070235.tif 000006